【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
映像の任意の区間を第１及び第２のいずれかの再生モードで再生可能な映像再生部と、
前記映像再生部により再生される映像中のハイライト領域を定めるためのハイライト情報を取得するためのハイライト情報取得部と、
前記映像再生部を制御して、前記映像のうち、前記ハイライト領域は前記第１の再生モードで再生し、それ以外の領域は前記第２の再生モードで再生させるための再生制御手段とを含む、映像再生装置。
【請求項２】
前記映像再生部は、前記第２の再生モードでは前記第１の再生モードより早い速度で映像を再生する、請求項１に記載の映像再生装置。
【請求項３】
前記映像再生部は、前記第２の再生モードでは、前記第１の再生モードより早く、かつ前記ハイライト領域と再生位置との間の距離に応じて早くなる速度で映像を再生する、請求項２に記載の映像再生装置。
【請求項４】
映像の任意の区間を第１及び第２のいずれかの再生モードで再生可能な映像再生部と、
前記映像再生部を制御して、映像中のハイライト位置を指定するハイライト情報で指定された映像部分は前記第１の再生モードで、それ以外の映像部分は前記第２の再生モードで、それぞれ再生するための再生制御手段とを含み、
前記再生制御手段は、前記ハイライト位置と再生位置との間の距離により定まる速度で前記ハイライト情報により指定されていない映像部分を再生する、映像再生装置。
【請求項５】
少なくとも早送り再生及び通常再生の二つの再生モードで再生が可能な映像再生部と、
映像のハイライト領域を定めるためのハイライト情報を記憶するためのハイライト情報記憶手段と、
前記映像再生部を制御して、前記映像のうち、前記ハイライト領域は前記早送り再生モードで再生し、それ以外の領域は前記通常再生モードで再生させるための再生制御手段と、
利用者から早送り指示を受取るための指示入力手段と、
前記早送り指示を受けたことに応答して、前記映像再生部を制御して早送り再生を開始させるための早送り手段とを含み、
前記再生制御手段は、前記映像再生部による映像の早送り再生が、前記ハイライト情報記憶手段に記憶されたハイライト情報により指定されたハイライト領域に到達すると、前記通常再生モードで再生するように前記映像再生部を制御する、映像再生装置。
【請求項６】
前記映像再生手段は、前記映像再生部による早送り再生の間、ハイライト情報により定まるハイライト領域、又は前記早送り指示を受けた映像位置の少なくとも一方と再生位置との間の距離に応じた早送り速度で早送り再生を行なうように前記映像再生部を制御するための手段を含む、請求項５に記載の映像再生装置。
【請求項７】
前記映像再生装置は、前記ハイライト情報を取得するためのハイライト情報取得部をさらに含む、請求項４〜請求項６のいずれかに記載の映像再生装置。
【請求項８】
前記再生制御手段は、映像のうち、ハイライト情報を取得できない部分については前記通常再生モードでの再生速度よりも早く、かつ音声が聞き取れる速度で再生するよう前記映像再生部を制御する、請求項１〜請求項７のいずれかに記載の映像再生装置。
【請求項９】
映像蓄積部をさらに備え、
前記映像再生部は映像蓄積部に蓄積された映像を再生するための手段を含む、請求項１〜請求項８のいずれかに記載の映像再生装置。
【請求項１０】
前記映像蓄積部は、映像の蓄積と並行して前記映像再生部に対して映像を供給することが可能である、請求項９に記載の映像再生装置。 
【請求項１１】
利用者の指示に応答して映像を外部より取得するための映像取得手段をさらに含み、
前記映像再生部は前記映像取得部が取得した映像を再生する、請求項１〜請求項８のいずれかに記載の映像再生装置。
【請求項１２】
映像の特徴を解析してハイライト情報を生成するためのハイライト情報生成手段をさらに含む、請求項１〜請求項１１のいずれかに記載の映像再生装置。
【請求項１３】
再生スクリプトにしたがった再生モード及び再生シーケンスで映像を再生するスクリプト実行手段を有する映像再生装置に対して、映像の再生制御を指示するための再生スクリプトを生成する再生スクリプト生成装置であって、
映像のハイライト領域を定めるためのハイライト情報を準備するためのハイライト情報準備手段と、
前記ハイライト情報準備手段により準備されたハイライト情報により指定された映像部分は通常速度で再生し、ハイライト情報に指定されていない映像部分は早送りで再生するよう前記映像再生装置の前記スクリプト実行手段に対し指示する再生スクリプトを生成するための再生スクリプト生成手段を含む、再生スクリプト生成装置。
【請求項１４】
前記スクリプト生成手段は、再生すべき映像と、再生範囲と、再生速度とを含む再生スクリプトを生成する、再生スクリプト生成装置。
【請求項１５】
映像を準備するための手段と、
前記映像に関連して、前記映像のうちのハイライト領域を定めるハイライト情報を準備するための手段と、
前記ハイライト情報にしたがって、前記ハイライト情報で指定された映像部分と、当該ハイライト情報で指定された映像部分の前の所定時間又は後ろの所定時間又はその双方とを含む映像部分を切出すための映像切出し手段とを含む、映像切出し装置。
【請求項１６】
映像を蓄積するための映像蓄積手段と、
前記映像蓄積部が映像を蓄積する際の映像蓄積時刻を記録するための映像蓄積時刻記録手段と、
前記映像蓄積時刻蓄積部に映像が蓄積された時刻の精度を、前記映像蓄積手段による映像の蓄積の際の環境に基づいて決定するための蓄積時刻精度決定手段と、
前記蓄積時刻精度決定部が決定した蓄積時刻精度を記録するための第１の精度記録手段とを含む、映像蓄積装置。
【請求項１７】
前記時刻精度決定手段は、前記映像が前記映像蓄積手段に蓄積された際に用いられた、映像の伝送経路に基づいて前記蓄積時刻精度を決定する、請求項１６に記載の映像蓄積装置。
【請求項１８】
前記映像蓄積装置は、
前記映像蓄積手段に蓄積される映像中の所定時刻を指定する時刻指定情報を記録するための時刻指定情報記録手段と、
前記時刻指定情報の精度を記録するための第２の精度記録手段と、
前記時刻指定情報の推定補正値を記録するための第１の推定補正値記録手段と、
前記映像蓄積時時刻記録手段が記録した映像蓄積時刻の推定補正値を記録するための第２の推定補正値記録手段と、
前記映像蓄積時刻と前記時刻指定情報との間の相対補正値を算出し記録するための相対補正値記録手段と、
前記時刻指定情報の精度、前記映像蓄積時刻の精度、及び前記相対補正値に基づいて、前記時刻指定情報の推定補正値、前記映像蓄積時刻の推定補正値、及び未確定の相対補正値を推定するための補正値推定手段とをさらに含む、請求項１７に記載の映像蓄積装置。
【請求項１９】
映像を準備するための手段と、
前記映像に関連して、前記映像のうちのハイライト領域を定めるハイライト情報を準備するための手段と、
前記ハイライト情報にしたがって、前記ハイライト情報で指定された映像部分を前記映像から切出すための映像切出し手段と、
前記映像切出し手段により切出された映像部分を映像記録媒体に書込むための映像書込手段とを含む、映像切出し装置。
【請求項２０】
前記映像切出し装置は、前記映像切出し手段により切出された映像を再圧縮するための映像再圧縮手段をさらに含み、
前記映像書込手段は、前記映像再圧縮手段で再圧縮された映像を前記映像記録媒体に書込むための手段を含むことを特徴とする、請求項１９に記載の映像切出し装置。
【請求項２１】
前記映像切出し装置は、
前記準備された映像を蓄積するための映像蓄積手段と、
前記映像蓄積手段内の映像のうち、前記映像切出し手段による切出し対象となった映像部分を消去するための手段とをさらに含むことを特徴とする、請求項１９に記載の映像切出し装置。
【請求項２２】
前記消去するための手段は、前記映像蓄積手段に蓄積された映像がコピー不可指定された映像の場合のみ当該映像部分を消去するための手段を含むことを特徴とする、請求項２１に記載の映像切出し装置。
【請求項２３】
前記映像切出し装置は、
前記準備された映像を蓄積するための映像蓄積手段と、
前記映像蓄積手段に蓄積された映像であって、前記映像切出し手段による切出しの対象となった映像部分にユーザがアクセスすることを不能にするための手段とをさらに含むことを特徴とする、請求項１９に記載の映像切出し装置。
【請求項２４】
前記不能にするための手段は、前記映像蓄積手段に蓄積された映像がコピー不可指定された映像の場合のみ、前記映像部分にユーザがアクセスすることを不能にするための手段を含むことを特徴とする、請求項２３に記載の映像切出し装置。
【請求項２５】
前記映像書込手段により前記映像記録媒体に書込まれた映像部分を前記映像記録媒体から消去するための映像消去手段と、
前記映像消去手段が前記映像記録媒体に書込まれた映像部分を消去したことに応答して、前記映像蓄積手段に蓄積された映像のうち、当該消去された映像部分の切出し元となった映像部分にユーザがアクセスすることを可能にするための手段をさらに含むことを特徴とする、請求項２３に記載の映像切出し装置。
【請求項２６】
映像を蓄積するための映像蓄積手段と、
前記映像蓄積手段に蓄積された映像のうちの１つをユーザが選択するために使用するための指示入力手段と、
前記映像に関連して、前記映像のうちのハイライト領域を定めるハイライト情報を準備するための手段と、
前記指示入力手段により選択された映像に関するハイライト情報を提示する情報画面を生成するための情報画面生成手段と、
前記映像蓄積手段に蓄積された映像を再生するための映像再生手段と、
前記ハイライト情報にもとづき前記ハイライト領域の映像を選択して通常再生速度で再生するよう前記映像再生手段を制御するための再生制御手段とを含み、
前記再生制御手段は、ユーザがさらに前記情報画面から前記指示入力手段によって特定のハイライト情報を選択すると、選択されたハイライト情報により定められるハイライト領域の映像を選択して再生することを特徴とする、映像再生装置。
【請求項２７】
前記情報画面生成手段は、
前記指示入力手段により選択された映像の再生時間の全体を示すバーを表示するための手段と、
前記バーのうち、前記ハイライト領域に対応する領域とその他の領域とを互いに識別可能な態様で表示するための手段とを含むことを特徴とする、請求項２６に記載の映像再生装置。
【請求項２８】
前記映像再生装置は、前記ハイライト情報にもとづいて映像を再生している際に、前記映像再生手段が再生する映像と、前記映像再生手段が再生している映像に対して前記情報画面生成手段が生成する情報画面とを重ねあわせるための映像重ね合わせ手段をさらに含むことを特徴とする、請求項２７に記載の映像再生装置。
【請求項２９】
前記情報画面生成手段は、前記指示入力手段により選択された映像に関するハイライト情報を、当該ハイライト情報に対応するハイライト領域の映像が前記映像再生手段及び前記再生制御手段によって再生されるときの再生に要する時間とともに提示する情報画面を生成することを特徴とする、請求項２６に記載の映像再生装置。
【請求項３０】
前記情報画面生成手段は、前記映像再生手段及び前記再生制御手段により、ハイライト情報にもとづいて映像が再生されるのに要する時間が、予め設定された視聴時間以下となるようなハイライト情報のみを選択して情報画面を生成するための手段を含むことを特徴とする、請求項２６に記載の映像再生装置。
【請求項３１】
前記予め設定された視聴時間は、現在時刻から予め設定された時刻までの時間であることを特徴とする、請求項３０に記載の映像再生装置。
【請求項３２】
前記再生制御手段は、前記ハイライト情報で指定された映像部分と、前記ハイライト領域情報で指定された映像部分の前の所定時間又は後ろの所定時間若しくはその双方を含む映像部分とをハイライト領域と見なして動作することを特徴とする、請求項２６に記載の映像再生装置。
【請求項３３】
映像を蓄積するための映像蓄積手段と、
前記映像蓄積手段に蓄積された映像を再生するための映像再生手段と
前記映像に関連して、前記映像のうちのハイライト領域を定めるハイライト情報を準備するための手段と、
ユーザが映像再生状態を指示するための指示入力手段と、
常には前記ハイライト情報にもとづき前記ハイライト領域の映像を選択して通常再生速度で再生し、前記指示入力手段による入力があったときには当該入力による映像再生状態に直ちに切替えて映像を再生するよう前記映像再生手段を制御するための再生制御手段とを含む、映像再生装置。
【請求項３４】
前記再生制御手段は、前記ハイライト情報で指定された映像部分と、前記ハイライト領域情報で指定された映像部分の前の所定時間又は後ろの所定時間若しくはその双方とを含む映像部分をハイライト領域と見なして前記映像再生手段を制御することを特徴とする、請求項３３に記載の映像再生装置。
【請求項３５】
映像を蓄積するための映像蓄積手段と
前記映像蓄積手段が映像を蓄積する際の映像蓄積時刻を記録するための映像蓄積時刻記録手段と、
前記映像蓄積手段に蓄積された映像を再生するための映像再生手段と、
前記映像に関連して、前記映像のうちのハイライト領域を時刻によって定めるハイライト情報を取得するためのハイライト情報取得手段と、
前記ハイライト情報と、前記映像再生手段に蓄積された映像の映像蓄積時刻とに基づき、前記ハイライト領域に対応する映像を前記映像蓄積手段に蓄積された映像中から選択して通常再生速度で再生するよう前記映像再生手段を制御するための再生制御手段とを含む、映像再生装置。
【請求項３６】
前記映像蓄積手段は映像をデジタル放送から取得して蓄積するための手段を含み、
前記映像蓄積時刻記録手段は、デジタル放送信号中に埋め込まれた時刻情報から前記映像蓄積時刻を取得するための手段を含むことを特徴とする、請求項３５に記載の映像再生装置。
【請求項３７】
前記映像再生装置は、
前記映像蓄積手段が映像を取得した経路に従って、前記映像蓄積時刻記録手段が記録した映像蓄積時刻と標準時刻との補正値であるオフセット値を算出するためのオフセット算出手段と、
該オフセット値を蓄積するためのオフセット記録手段とをさらに含み、
前記再生制御手段は、前記ハイライト情報に含まれる時刻情報を前記オフセット値によって補正し、当該補正されたハイライト情報と、前記映像再生手段に蓄積された映像の映像蓄積時刻とに基づき、前記ハイライト領域に対応する映像を前記映像蓄積手段に蓄積された映像中から選択して通常再生速度で再生するよう前記映像再生手段を制御するための手段を含むことを特徴とする、請求項３５に記載の映像再生装置。
【請求項３８】
映像を蓄積するための映像蓄積手段と、
前記映像蓄積手段に蓄積された映像を再生するための映像再生手段と
前記映像に関連して、前記映像のうちのハイライト領域を定めるハイライト情報を準備するための手段と、
前記ハイライト情報にもとづき前記ハイライト領域の映像を選択して通常再生速度で再生するよう前記映像再生手段を制御するための再生制御手段とを含み、
前記再生制御手段は
前記映像について前記ハイライト情報が準備できた部分は前記ハイライト情報にもとづいて当該ハイライト情報に対応するハイライト領域の映像を選択して再生し、ハイライト情報が準備できなかった部分は予め決められた再生速度で再生することを特徴とする、映像再生装置。
【請求項３９】
前記予め決められた再生速度は通常再生速度であることを特徴とする、請求項３８に記載の映像再生装置。
【請求項４０】
前記予め決められた再生速度は通常の再生速度よりも早くかつ音声の再生が可能である再生速度であることを特徴とする、請求項３８に記載の映像再生装置。